(57)【要約】【課題】数メートル〜数十メートルの長さの光ファイバを任意の長さだけ引き出し、および巻取り可能にするための、光ファイバ巻取り装置を提供することである。【解決手段】一部にコリメータレンズ２と光路変換プリズム４が設けられた巻取りリール本体１と、前記コリメータレンズ２からのコリメート光と結合させる光ファイバ巻取り装置本体７に取り付けられた同様のコリメータレンズと光路変換プリズム４を対向して設け、巻取りリール本体１が巻取り装置本体７に対し回転自在にボールベアリング５で固定され、天板１７の上部に設けた、巻取りレバー１８に取り付けた取手２０を回すことで巻取りリール本体１に光ファイバを巻き取る。【選択図】図１
2006017873.tif 000002
【特許請求の範囲】
【請求項１】
筐体に対し回転可能に保持された光ファイバを巻き取るリールと、前記リールに巻かれた光ファイバの一端から出射される光をコリメートするレンズと、前記レンズと対向する光ファイバコリメータより構成されたことを特徴とする光ファイバ巻取り装置。
【請求項２】
光ファイバを巻き取る第１のリールと、前記第１のリールに巻かれた光ファイバの一端から出射される光をコリメートするレンズと、前記コリメータレンズと対向する光ファイバコリメータを保持する第２の光ファイバ巻取りリールより構成されそれぞれ個別に回転可能に保持したことを特徴とする光ファイバ巻取り装置。
【請求項３】
筐体の外部、あるいは内部に設けた回転手段と、回転を巻取りリールの回転に変換する伝達手段を設けたことを特徴とする請求項１または請求項２に記載の光ファイバ巻取り装置。
【請求項４】
前記回転手段が電動機であることを特徴とする請求項２に記載の光ファイバ巻取り装置。
【請求項５】
巻取りリールカバーが、筐体に対し回転自在に設けられたことを特徴とする請求項１から請求項４のいずれか１項に記載の光ファイバ巻取り装置。
【請求項６】
筐体に内蔵された巻取りリールの一部に設けた光ファイバアダプタと、光コネクタの一端を前記光ファイバアダプタに接続した光ファイバと、前記巻取りリールを回転する手段とで構成され、前記巻取りリールが筐体に対し回転自在に設けられたことを特徴とする光ファイバ巻取り装置。
【請求項７】
光ファイバがフォトニック結晶ファイバで構成されたことを特徴とする請求項６に記載の光ファイバ巻取り装置。
【請求項８】
巻取りリールを内蔵する筐体が、室内インテリアに一体的、あるいは着脱可能に設けられたことを特徴とする請求項１から７のいずれか１項に記載の光ファイバ巻取り装置。
【発明の詳細な説明】
【技術分野】
【０００１】
本発明は、数メートル〜数十メートルの長さの光ファイバを任意の長さだけ引き出し可能にするための光ファイバ巻取り装置に関する。特に室内の光端末装置間の接続に用いる。
【背景技術】
【０００２】
従来、光ファイバの余長処理の方法として、特許文献１に記載された装置が提案されている。
【０００３】
この余長処理装置は、特に機器内の数センチメートルの長さを調整するものであり、巻取りリール内の円筒状の空間の中で生じる光ファイバのたわみ量分で調整する。
【０００４】
以下、図９により従来の余長処理装置について説明する。
【０００５】
同図において、５０は巻取りリールの本体で内円筒部５１と、外円筒部５２が形成され、一部に外円筒部５２を通り、内円筒部５１を通り内円筒外部に通ずる通路５３、５４が設けられている。
【０００６】
内円筒部５１の通路の出口には外円筒の方向に伸びる板ばね５５を、さらに前記板ばね５５の取り付け点と対向する位置にも１つの板ばね５６が設けられている。本体の出口通路５８には、光ファイバの出し入れを行う制御部５７が設けられている。
【０００７】
以上のような構成において、その動作について説明する。光ファイバが通路５３、５４より導かれ内円筒部５１と板ばね５５、５６の周囲に巻き付け、出口通路５８より取り出される。光ファイバを引き出す際には、制御部５７を解除し、光ファイバを引き出すと板ばねを光ファイバが押さえながら内円筒部５１に巻きつく。必要量引き出したら、制御部５７をロックし光ファイバを固定する。一方、巻き取る場合は、制御部５７を解除することで板ばね５５、５６の復帰力により外円筒部５２の方へ広がって巻き取られる。
【特許文献１】特開平６−１０９９３０号公報（第５頁、図４）
【発明の開示】
【発明が解決しようとする課題】
【０００８】
前述した従来技術では、数センチメートル程度の僅かな長さの光ファイバには有効であるが、数十センチ〜数メートルの長さの出し入れに対応することができない。
【０００９】
本発明は、上記従来の問題を解決するもので、数メートル〜数十メートルの長さを出し入れできる簡易な着脱型光ファイバ巻取り装置を提供することを目的とする。
【課題を解決するための手段】
【００１０】
上記問題を解決するために第１の発明は、筐体に対し回転可能に保持された光ファイバを巻き取るリールと、前記リールに巻かれた光ファイバの一端から出射される光をコリメートするレンズと、前記レンズと対向する光ファイバコリメータより構成される。
【００１１】
上記第１の発明の構成によれば、回転中心に光ファイバコリメータが配置されているために巻取りリールを回転しても光軸ずれが少なく、任意の長さだけ光ファイバを引き出しても大きな損失増加なく伝送状態を保持できる。
【００１２】
第２の発明は、光ファイバを巻き取る第１のリールと、前記第１のリールに巻かれた光ファイバの一端から出射される光をコリメートするレンズと、コリメータレンズと対向する光ファイバコリメータを保持する第２の光ファイバ巻取りリールより構成されそれぞれ個別に回転可能に保持した構成にしたものである。
【００１３】
上記第２の発明の構成によれば、二つの巻取りリールを用いることにより２倍の長さの伝送距離に対応できる。
【００１４】
第３の発明は、筐体の外部、あるいは内部に設けた回転手段と、回転を巻取りリールの回転に変換する伝達手段を設けた構成にしたものである。
【００１５】
上記第３の発明の構成によれば、必要に応じ、引き出した光ファイバを巻取りリールに容易に巻き付けることができるものである。
【００１６】
第４の発明は、前記回転手段が電動機で構成されている。
【００１７】
上記第４の発明の構成によれば光ファイバを巻き取るリールが電動機で回転されるために素早く巻き取ることができる。
【００１８】
第５の発明は、巻取りリールカバーが、筐体に対し回転自在に設けられる構成にしたものである。
【００１９】
上記第５の発明の構成によれば、光ファイバの取り出し口が任意の位置にできるために入出力光ファイバの位置関係を最適に設定できる。
【００２０】
第６の発明は、筐体に内蔵された巻取りリールの一部に設けた光ファイバアダプタと、光コネクタの一端を前記光ファイバアダプタに接続した光ファイバと、前記巻取りリールを回転する手段とで構成され、前記巻取りリールが筐体に対し回転自在に設けるようにした構成である。
【００２１】
上記第６の発明の構成によれば、必要な長さだけ光ファイバを引き出した状態で他方の光ファイバと接続できるために、余分な光ファイバの処理が不要になる。
【００２２】
第７の発明は、光ファイバがフォトニック結晶ファイバで構成されたものである。
【００２３】
上記第７の発明の構成によれば、光ファイバをほぼ直角に曲げることが可能になり、光ファイバ巻取り装置を小型化できる。
【００２４】
第８の発明は、請求項１から請求項７に従属するものであり、巻取りリールを内蔵する筐体が、室内インテリアに一体的、あるいは着脱可能に設けられた構成としたものである。
【００２５】
上記第８の発明の構成によれば、室内インテリアの一部として用いられるために室内の美観を損ねることなく機器間の信号伝送を実現できる。
【発明の効果】
【００２６】
本発明の光ファイバ巻取り装置は、本体に対し巻取りリールを回転自在に保持しているためにリール内に巻かれたファイバの長さだけの、引き出しと巻取りが可能となる。
【００２７】
また、巻取りリールのカバーを回転できるために光ファイバの入出力の関係が任意の位置関係に設定できる。その結果、光ファイバ巻取り装置の設置場所の自由度が高くできる。
【発明を実施するための最良の形態】
【００２８】
（実施の形態１）
図１は、本発明の実施の形態１における光ファイバ巻取り装置の断面図である。図２は巻取りレバーを除いた時の斜視図である。
【００２９】
図１、図２において１は巻き取りリール本体で、一部にコリメータレンズ２が保持され、前記コリメータレンズの焦点位置には光ファイバ３が固定され、他端には光路変換プリズム４が設けられている。また、内側円筒の下部にボールベアリング５が固定され、上部に外部より回転力を与えるための凹み６が設けられている。７は、巻取り装置本体で一部に巻取りリール本体１を回転可能に保持するためのボールベアリング５の内輪を固定する段つき部８が設けられている。また、ボールベアリング５の回転中心軸にはコリメート光を伝搬するための円筒空間部９がある。１０は、前記コリメータレンズ２と同じコリメータレンズで同様に、一端に光路変換プリズム１１が、他端に光ファイバ１２が焦点位置に固定されている。光ファイバ１２は巻取り装置本体７に設けた出力口１３より引き出されている。１４は巻取りリール本体１のカバーで、一部に光ファイバの出力口１５が設けられ、巻取り装置本体７に対し、回転可能に取り付けられている。
【００３０】
１６、１７はそれぞれ本体の底板と天板である。
【００３１】
天板１７の上部には、巻取りレバー１８が巻取りリールの回転中心を軸として回転できるように回転軸１９に取り付けられている。また、前記巻取りレバー１８には、先端に折りたたみの取手２０が支軸２１に回動自在に保持されている。さらに、回転軸１９から等距離の位置に前記取手２０の先端に取り付けられたピン２２が嵌め合う凹み２３が、円周４５度分割間隔で設けられている。
【００３２】
天板１７の下部には、巻取りレバー１８と連動して回転するアーム２４が固定され、アーム２４の先端には巻取りリール本体１を回転させる係合ピン２５が取り付けられている。なお、本実施の形態では巻取りリール本体１の回転部分にボールベアリング５を用いたが、メタル軸受けでも可能なことは言うまでもない。
【００３３】
以上のように構成された光ファイバ巻取り装置の動作について説明する。
【００３４】
まず一方の機器の出力端に本装置の片側の光ファイバ１２を接続し、相手の機器の入力端まで光ファイバを延長するために、取手２０のピン２２を凹み２３より取り外す。この状態で、巻取りリール本体１のロックが解除され、必要な長さだけ引き出し機器の入力端に接続することができる。接続後は、取手２０を折りたたみ、凹み２３のいずれかにピン２２を入れることにより、光ファイバ３の引き出しができなくなる。一方、収納時は、折りたたみ取手２０のピン２２を凹み２３より取り出し、取手２０をつかんで巻取りレバー１８を回転させると、内部の巻取りリール本体１の凹み６と係合ピン２５が嵌めあわされ、巻取りリール本体１が連動して回り、光ファイバ３を巻き取っていく。
【００３５】
また、光ファイバの装置からの出力口１３、１５の方向を変えたい場合、図３に示すようにカバー１４を回転することで容易に設定できる。
【００３６】
（実施の形態２）
図４は、本発明の実施の形態２の光ファイバ巻取り装置を上部から見た断面図である。図５は側面の断面図である。
【００３７】
図４、図５において、実施の形態１に係る光ファイバ巻取り装置の構成部材と同等の機能を有する部分については、同一の符号を付し、説明を省略することとする。実施の形態１との違いは、巻取りリール本体１を巻取り装置本体７の下部にも同様の構成で設けたことと、巻取ったファイバの外周部にリールカバーの内側円筒面２６に設けた板ばね２７の先端に押し付けローラ２８を取り付けたことである。
【００３８】
このように２個の巻取りリールを用いることにより、光ファイバの引き出し量が１個の場合に対し２倍の長さまで対応できることになる。また、ファイバ巻取り部を板ばね２７の付いたローラ２８で押し付けることにより、リールに偏って巻かれることなく均等に巻きつけられることになる。
【００３９】
（実施の形態３）
図６は、本発明の実施の形態３の巻取りリール本体のカバーを除去した状態の上面図である。図７は、同図を側面から見た断面図である。図６、図７において、実施の形態１に係る光ファイバ巻取り装置の構成部材と同等の機能を有する部分については、同一の符号を付し、説明を省略することとする。実施の形態１との違いは、光ファイバのコリメータレンズを使用せずに直接光ファイバとの接続とし、中継アダプタによる構成とした点である。
【００４０】
２９は、光コネクタの中継アダプタで巻取りリール本体１に固定されている。
【００４１】
３０は、光ファイバで両端に光コネクタが取り付けられており、一方を中継アダプタ２９に接続し、光ファイバをリール本体１に巻きつける構成である。リール１本体のフランジ３１部分には光ファイバをリールに巻きつけるためのスリット３２が設けられている。またリールカバーの光ファイバ取り出し口には巻き取った光ファイバの先端にある光コネクタの収納口３３が設けられている。
【００４２】
以上のように構成された光ファイバ巻取り装置の動作について説明する。
【００４３】
巻取りリール内に取り付ける光ファイバのコネクタの一端を中継アダプタ２７に接続し、前記リールのスリット３２よりリール内に装着する。本体の天板１７に設けたアーム２４上の係合ピン２５と、巻取りリール本体１上の凹み６を合わせて取り付ける。つぎに、天板１７の取手２０を起して回転させて光ファイバを巻取りリールに巻き取っていく。完全に巻き取ると光コネクタ収納口３３に入り、取手２０を倒して回転固定の凹み２３にピン２２を挿入する。
【００４４】
使用時は、取手２０を立て光コネクタの先をつかみ必要な量だけ引き出し、取手２０を倒して固定する。この状態で中継アダプタに接続コネクタを取り付けて伝送路を形成する。収納時は、中継アダプタよりコネクタを取り外した後、取手２０を立てて巻き取っていく。
【００４５】
このように、光ファイバ同士を接続する際に、余分な光ファイバの収納が容易に行えるので余長処理が楽に行うことができる。
【００４６】
なお、ここでは通常の光ファイバを用いているが、フォトニック結晶光ファイバを用いることにより、巻取りリールへの急激な曲げにも損失なく巻き取れるために小型化ができる。
【００４７】
（実施の形態４）
図８は、本発明の実施の形態４の光ファイバ巻取り装置の斜視図である。通常光ファイバの接続部は室内の美観を損ねるために、目立たない部分に配置されるが、機器の移動を考えると操作し易い位置に配置した方が便利である。
【００４８】
実施の形態４の光ファイバ巻取り装置は、ＴＶの上やオーディオ機器ラック上に設置され、容易に接続機器間の長さに応じ必要量だけファイバを引き出して接続できるようにし、かつ美観を損ねないように造花の花瓶３４や置物などの室内インテリアと一体的にあるいは着脱可能に設けられている。
【００４９】
このように室内インテリアと一体化することにより、室内の美観を損なうことなく容易に光ファイバの引き出し、巻取りが行えることになる。
【産業上の利用可能性】
【００５０】
本発明の、数メートル〜数十メートルの長さの光ファイバを任意の長さだけ引き出し可能にするための光ファイバ巻取り装置は、室内の光端末装置間の接続に用いられた場合に有効である。
【図面の簡単な説明】
【００５１】
【図１】本発明の実施の形態１における光ファイバ巻取り装置の断面図
【図２】図１の装置の回転レバーを除去した状態の斜視図
【図３】本発明の実施の形態１における光ファイバ巻取り装置のリールカバーを回転した時の斜視図
【図４】本発明の実施の形態２における光ファイバ巻取り装置の上蓋を除去した状態の上面図
【図５】本発明の実施の形態２における光ファイバ巻取り装置の断面図
【図６】本発明の実施の形態３における光ファイバ巻取り装置の上蓋を除去した状態の上面図
【図７】本発明の実施の形態３における光ファイバ巻取り装置の断面図
【図８】本発明の実施の形態４における光ファイバ巻取り装置の斜視図
【図９】従来の光ファイバ余長処理装置の説明図
【符号の説明】
【００５２】
１    巻取りリール本体
２，１０    コリメータレンズ
３，１２，３０    光ファイバ
４，１１    光路変換プリズム
５    ボールベアリング
６，２３    凹み
７    巻取り装置本体
８    段つき部
９    円筒空間部
１３，１５    出力口
１４    カバー
１６    底板
１７    天板
１８    巻取りレバー
１９    回転軸
２０    取手
２１    支軸
２２    ピン
２４    アーム
２５    係合ピン
２６    内側円筒面
２７    板ばね
２８    ローラ
２９    中継アダプタ
３１    フランジ
３２    スリット
３３    収納口
３４    花瓶
【図１】
2006017873.tif 000003
【図２】
2006017873.tif 000004
【図３】
2006017873.tif 000005
【図４】
2006017873.tif 000006
【図５】
2006017873.tif 000007
【図６】
2006017873.tif 000008
【図７】
2006017873.tif 000009
【図８】
2006017873.tif 000010
【図９】
2006017873.tif 000011